(57)【要約】【課題】セラミック義歯の電気泳動による製造を、格別の後処理を必要とすることなく、行うことができる方法および装置を提供する。【解決手段】種々の形状の導電領域を有する伝導プレート１を、直接に、または間隔を開けて歯型に適用する、電気泳動によるセラミック義歯の製造方法において、セラミック粒子を水に懸濁させたスラリーの塗膜を歯型に形成した後、電気泳動のための伝導プレートへの給電を、ケーブルを用いることなく、伝導プレート１を、導電性接着剤５を用いて、導電性の歯型２または橋脚歯３に固定し、この伝導プレート１を介して行う。電力は、脚体７、歯型、または橋脚歯に送られる。伝導プレート１は亜鉛からなり、導電性接着剤は、焼成時に残留物なしで消失する亜鉛粉末とワックスの混合物からなる。この伝導プレートは、本発明の方法を実施するのに適しており、切欠き部を設けることによって、各導電領域の形状をそれぞれ異ならせることができる。【選択図】図３
2008529612.tif 000002
【特許請求の範囲】
【請求項１】
種々の形状の導電領域(４)を有する伝導プレート(１)を、歯型(２)または橋脚歯(３)に、直接に、または間隔を開けて配置する、セラミック義歯の電気泳動による製造方法において、前記伝導プレート(１)への通電を、導電性の接着剤(５)を介して行うことを特徴とするセラミック義歯の製造方法。
【請求項２】
前記伝導プレート(１)を、前記接着剤(５)を介して、前記橋脚歯(３)に固着し、この橋脚歯(３)へ通電することを特徴とする請求項１記載のセラミック義歯の製造方法。
【請求項３】
非導電性の歯型(２)に対して、焼成時に残留物を生じることのない、金属を含有する被膜を形成することを特徴とする請求項１記載のセラミック義歯の製造方法。
【請求項４】
前記被膜に含有させる金属として、亜鉛を用いることを特徴とする請求項３記載のセラミック義歯の製造方法。
【請求項５】
伝導プレート(１)の脚体(７)を通じて通電を行うことを特徴とする請求項１〜４のいずれかに記載のセラミック義歯の製造方法。
【請求項６】
前記導電性の接着剤(５)は、ワックスと、亜鉛を含む金属粉末とからなることを特徴とする請求項１〜５のいずれかに記載のセラミック義歯の製造方法。
【請求項７】
請求項１〜６のいずれかに記載の方法の実施に用いられる伝導プレートであって、切欠き部を有することにより、各導電領域の形状が異なることを特徴とする伝導プレート。
【請求項８】
亜鉛から形成されていることを特徴とする請求項７記載の伝導プレート。
【請求項９】
０．０３〜０．１５mmの厚さを有することを特徴とする請求項７または８記載の伝導プレート。
【請求項１０】
金属箔を、レーザを用いて切断することにより得られることを特徴とする請求項７〜９のいずれかに記載の伝導プレート。
【発明の詳細な説明】
【技術分野】
【０００１】
本発明は、セラミック義歯の電気泳動による製造方法および装置に関する。
【背景技術】
【０００２】
電気泳動によるセラミック義歯の製造方法および装置は、特許文献１によって公知となっている。この方法においては、種々の形状の導電領域を有する伝導プレートを、歯型または橋脚歯に対して、直接または所定の距離をおいて配置する。この方法によれば、過大な後処理を要することなく、所望形状の義歯を得ることができる。この際、伝導プレートに対する通電は、ケーブルを用いて行われる。
【０００３】
ケーブルは、義歯にセラミックス泥（スリップ）を積層した後、伝導プレートから取外さなければならないが、この作業は、セラミックス泥層を損傷しないよう、専門家が行う必要がある。したがって、満足しうる義歯をつくり出すためには、特別の後処理が必要となる。
【特許文献１】国際公開第２００４／４１１１３号パンフレット
【発明の開示】
【発明が解決しようとする課題】
【０００４】
本発明の目的は、特別の後処理が不要となるよう、特許文献１に記載された電気泳動によるセラミック義歯の製造方法を改良することにある。また、本発明は、この方法に適した伝導プレートを提供することも目的としている。
【課題を解決するための手段】
【０００５】
本発明は、上記の目的を実現するため、伝導プレートを、歯型または橋脚歯に、直接に、または間隔を開けて配置する、セラミック義歯の電気泳動による製造方法において、伝導プレートへの通電を、導電性の接着剤を介して行うことを特徴とするセラミック義歯の製造方法を提供するものである。
【０００６】
以下の説明において、「スリップ」とは、歯科技工の分野で通常用いられているように、セラミック粒子を水に懸濁させたスラリーを意味する。また、「歯型」の語も、歯科技工士が通常用いている意味において使用しており、金（または銀）めっきを施した歯型という意味ではない。これを確認しておくことは、電気泳動によるセラミック義歯は、めっきされた歯型につくるものではないということを明らかにする点において、意義がある。当業者には知られているように、めっきには、費用がかかるだけでなく、面倒な後処理が避けられないという欠点があるからである。しかし、本発明の方法は、めっきされた歯型にも用いることができる。
【発明の効果】
【０００７】
本発明によれば、電気泳動によるセラミック義歯の製造する際に、伝導プレートへ給電するケーブルを取外すことに伴う特別の後処理が不要となる。
【発明を実施するための最良の形態】
【０００８】
以下に、図１〜図８を参照して、本発明を説明する。
【０００９】
最初に、患者の歯から、公知の方法で原型歯を形作る。次に、この原型歯から、本発明の方法を実施する際の基台となる支台歯（歯型または橋脚歯）をつくる。
【００１０】
図１〜図４は、本発明の方法を実施するための４つのタイプの支台歯を模式的に示す。この支台歯の上に、電気泳動によってセラミック（例えばアルミナ）義歯を形成する。支台歯を、電気泳動による被膜形成装置の支持具に固定し、図示の姿勢から１８０°回転させた状態で、スリップに浸漬させることにより、支台歯にスリップの層を形成する。
【００１１】
図１は、支台歯を２つの歯型２とした実施形態を示す。２つの歯型２の間には、導電性の接着剤５を介して、伝導プレート１が固定されている。接着剤５の材料は、デンタルワックスであり、歯科技工所において、伝導プレート１の一部を固定するために用いられる。このデンタルワックスには、ワックス１ｇ当り５ｇの亜鉛粉末が含まれている。ワックスが導電性を有しない場合であっても、亜鉛粉末のワックスに対する混合比を同一としつつ、種々の導電性をもつデンタルワックスを得ることができる。
【００１２】
原型歯が、通常用いられる石膏、または他の非導電性の材料から形成されている場合には、支台歯の表面に、導電性をもたせなければならない。これは、支台歯に導電性ラッカを塗布することによって実現することができる。ラッカの導電性は、亜鉛粉末によって得られるものである。歯科技工の分野で通常用いられている銀を含む導電性ラッカは、焼成しても、揮発しない残留物が生ずるため、本発明においては適当ではない。
【００１３】
支台歯に導電性ラッカを塗布する際には、電気泳動の後に、義歯を支台歯から引き剥がすことができるよう、ドイツ国特許出願公開第１９８１２６６４号明細書に記載されているように、剥離剤を用いるのが好ましい。
【００１４】
通電は、舌片８を介して行われる。
【００１５】
伝導プレートは、亜鉛から形成するのが好ましい。亜鉛製の伝導プレートは、亜鉛箔から、レーザを用いて所望の形状に切り取ることができる。亜鉛は、容易に変形しうるため、一部を湾曲または切断することにより、予め切り取ってある伝導プレートの形状を、さらに調整することができる。したがって、電気泳動を行うに当たり、現場での必要に合わせた、伝導プレートの最終的な形状を得ることができる。
【００１６】
原型歯を乾燥させて得られる支台歯は、スラリーを塗布した後、公知の方法によって焼成する。亜鉛は、高温で焼成すれば、残留物を生じないため、伝導プレート１およびデンタルワックス５の材料に適している。
【００１７】
図２は、チタン製で導電性を有する２つの橋脚歯３の上に、セラミック義歯を形成する実施形態を示す。伝導プレート１への通電は、導電性の橋脚歯３と接続されているコネクタ６を介して行われる。
【００１８】
図３は、支台歯として歯型２と橋脚歯３を用いる実施形態を示す。歯型２を上述の要領で導電性とした後、伝導プレートの脚体７を介して、通電を行う。図５〜図８に示す伝導プレートは、いずれも、このような脚体７を有している。脚体７は、伝導プレートの取扱いを容易にするものであり、必要でない場合には、切断することができる。
【００１９】
図４は、２つの伝導プレートを、デンタルワックス５で固定した実施形態を示す。通電は、コネクタ（図示せず）を介して、橋脚歯３に対して行う。歯型２は、上述の要領で導電性を有するものとなっている。
【００２０】
上述の通り、本発明には多くの用途があり、どのような支台歯にも対応することができる。
【００２１】
図５〜図８は、それぞれ異なる伝導プレートを、概ね２倍に拡大して示している。図５は、前歯の義歯製造用伝導プレートを、図６は、大臼歯の義歯製造用伝導プレートを、図７は、小臼歯の義歯製造用伝導プレートを、図８は、犬歯の義歯製造用伝導プレートを、それぞれ示す。
【００２２】
図５〜図８に示す伝導プレートの対比から、種々の形状の導電領域が形成されていることが分かる。また、伝導プレートは、取扱いを容易にし、かつ通電に用いるための脚体を有している。
【図面の簡単な説明】
【００２３】
【図１】本発明の第１の実施形態（２つの歯型を用いる）を示す模式的断面図である。
【図２】本発明の第２の実施形態（２つの橋脚歯を用いる）を示す模式的断面図である。
【図３】本発明の第３の実施形態（１つの歯型と１つの橋脚歯を用いる）を示す模式的断面図である。
【図４】本発明の第３の実施形態の変形例を示す模式的断面図である。
【図５】前歯の義歯製造用伝導プレートの平面図である。
【図６】大臼歯の義歯製造用伝導プレートの平面図である。
【図７】小臼歯の義歯製造用伝導プレートの平面図である。
【図８】犬歯の義歯製造用伝導プレートの平面図である。
【符号の説明】
【００２４】
１  伝導プレート
２  歯型
３  橋脚歯
４  導電領域
５  導電性接着剤
６  コネクタ
７  脚体
８  舌片
【図１】
2008529612.tif 000003
【図２】
2008529612.tif 000004
【図３】
2008529612.tif 000005
【図４】
2008529612.tif 000006
【図５】
2008529612.tif 000007
【図６】
2008529612.tif 000008
【図７】
2008529612.tif 000009
【図８】
2008529612.tif 000010
【国際調査報告】
2008529612.tif 000011
2008529612.tif 000012
2008529612.tif 000013
2008529612.tif 000014
2008529612.tif 000015
2008529612.tif 000016